(57)【要約】      （修正有）【課題】２つの係合用リングがケース上に固定され、それぞれ上面と底面に二つの時計面を有する時計構造を提供する。【解決手段】二つの時計面を有する時計構造は、内部に当接用リング部が凸設されるケース１と、当接用リング部の上面に設置される第一時計面２１と、当接用リング部の底面に設置される第二時計面と、調整用ネジ、接合部、Ｈ型係合部材及び当接用ネジで構成される調整用係合キットと、内側に抑制部及び溝部が周設される係合用リング４とを備える。透明な時計カバーが溝部に係合され、２つの係合用リングがケースの上面及び底面にそれぞれ係合され、係合用リングは複数の係合用バンプにより当接用リング部に設置され、抑制部は第一時計面及び第二時計面に抑圧される。【選択図】図２２
0003216223.tif 000002
【実用新案登録請求の範囲】
【請求項１】
内部に当接用リング部が凸設され、前記当接用リング部の中央箇所は中空部となり、前記当接用リング部には収容用凹部が設けられ、前記収容用凹部には凸部が設けられるケースであって、前記凸部の両側には２つの溝部及び前記ケース及び前記凸部を貫通させる貫通孔が形成され、前記ケースの上面及び底面には等間隔で配列される複数のバンプが凸設され、その内の１つの前記バンプは前記収容用凹部の上方に位置され、複数の前記バンプと前記当接用リング部との間には収容空間を有することと、
前記当接用リング部の上面に設置され、ムーブメントキットが前記中空部に位置される第一時計面と、
前記当接用リング部の底面に設置され、ムーブメントキットが前記中空部に位置される第二時計面と、
調整用ネジ、接合部、Ｈ型係合部材及び当接用ネジで構成され、前記接合部には係合部及びスレッド付貫通孔が凸設され、前記接合部は前記係合部により前記ケースの外側から前記貫通孔に連結され、前記調整用ネジには雄ねじ部及び中空スレッド部が設けられ、前記調整用ネジは前記ケースの外側から前記接合部に螺接され、前記調整用ネジの前記雄ねじ部は前記接合部から突出し、前記Ｈ型係合部材にはスレッド付貫通孔が設けられると共に両側にリブが設けられ、２つの前記リブの中間部には凹部が形成され、前記Ｈ型係合部材は前記調整用ネジの前記雄ねじ部に螺合され、前記当接用ネジは前記調整用ネジの前記中空スレッド部に螺合され、前記調整用ネジが順方向に回転することにより前記Ｈ型係合部材が前記凸部に向けて接近させ、これにより２つの前記リブが２つの前記溝部に貼り合わせられ、前記調整用ネジが逆方向に回転することにより２つの前記リブが２つの前記溝部から離間し、前記Ｈ型係合部材が前記当接用ネジに当接されると移動が停止される調整用係合キットと、
フランジが下向きに設けられ、前記フランジには等間隔で配列される複数の係合用バンプが設けられ、前記フランジの内の何れか１つの前記係合用バンプの両側にはノッチが設けられる係合用リングであって、前記係合用リングの内側には抑制部及び溝部が周設され、透明な時計カバーが前記溝部に係合され、２つの前記係合用リングは前記ケースの上面及び底面にそれぞれ係合され、前記係合用リングは複数の前記係合用バンプにより前記当接用リング部に設置され、前記抑制部は前記第一時計面及び前記第二時計面に抑圧され、２つの前記係合用リングの前記係合用バンプ及び両側の前記ノッチが前記凸部及び両側の前記溝部まで滑動させ、前記調整用ネジが順方向に回転することにより前記Ｈ型係合部材が前記凸部に接近させ、２つの前記リブが２つの前記係合用リングの２つの前記ノッチを通過させると共に２つの前記溝部に貼り合わせられ、前記係合用バンプは前記凸部の上方と前記バンプとの間の前記収容空間内に位置され、且つ同時に前記Ｈ型係合部材の前記凹部内に係合され、他の複数の前記係合用バンプは全て複数の前記バンプの下に位置され、２つの前記係合用リングが前記ケースに固定されるように係合される効果を達成させることとを備えることを特徴とする二つの時計面を有する時計構造。
【請求項２】
前記当接用リング部の上面及び底面には第一通路部及び第二通路部が更に設けられ、第一通路部及び第二通路部には前記ケースを貫通させる貫通孔がそれぞれ設けられ、２つの前記貫通孔には１組のゼンマイ調整キットがそれぞれ設置され、前記ゼンマイ調整キットはゼンマイネジ、中空状接合部及びスリーブで構成され、前記中空状接合部には係合部が設けられ、前記係合部により前記ケースの外側から前記第一通道の前記貫通孔に固定され、前記ゼンマイネジにはスレッド部が設けられ、前記スリーブにはスレッド付貫通孔が設けられ、前記ゼンマイネジは前記ケースの外側から前記中空状接合部に貫設され、且つ前記スリーブに螺合され、前記スリーブの他端は前記第一時計面のムーブメントに螺合され、各前記ゼンマイ調整キットによる前記第一時計面と前記第二時計面の時間の調整効果が達成され、また、２つの前記係合用リングは前記第一通路部及び前記第二通路部に対応させる位置に凹部が設けられることを特徴とする請求項１に記載の二つの時計面を有する時計構造。
【請求項３】
前記スリーブ及び前記ゼンマイネジの連結される端部にはプラットフォームが設置されることを特徴とする請求項２に記載の二つの時計面を有する時計構造。
【請求項４】
当接用リング部の中空部には第一位置決めリング及び第二位置決めリングが装設され、前記当接用リング部には複数の柱状体溝部が設けられ、前記第一位置決めリング及び前記第二位置決めリングは複数の前記柱状体溝部に対応させる箇所に凹溝が設けられ、複数の前記柱状体溝部及び複数の前記凹溝が結合されることにより複数の収容孔が形成され、複数の前記収容孔は防振用柱にそれぞれ挿入され、本考案の防振、耐震効果が達成されることを特徴とする請求項３に記載の二つの時計面を有する時計構造。
【請求項５】
前記第一位置決めリングには上部ノッチ及び下部ノッチが設けられ、前記第二位置決めリングには上部ノッチ及び下部ノッチが設けられ、前記第一位置決めリングの前記下部ノッチ及び前記第二位置決めリングの上部ノッチにより窓型ノッチが形成されることを特徴とする請求項４に記載の二つの時計面を有する時計構造。
【請求項６】
調整用係合キットの接合部の外側にはスレッド部が設けられ、前記スレッド部には装飾カバーが螺合されることを特徴とする請求項５に記載の二つの時計面を有する時計構造。
【請求項７】
当接用リング部の上面及び底面には溝部が設けられ、２つの前記溝部には防水ガスケットが設置されることを特徴とする請求項６に記載の二つの時計面を有する時計構造。
【考案の詳細な説明】
【技術分野】
【０００１】
本考案は、時計構造に関し、より詳しくは、二つの時計面を有する時計構造に関する。
【背景技術】
【０００２】
従来の腕時計構造の多くは、ケース、時計面、ムーブメント構造、透明な時計カバー、裏蓋、ラグ、及び前記ラグに連結されるバンドで構成される。腕時計は人の品格を表現し、腕時計のデザインから身に付ける者の個性や好み等の様々な情報が得られる。腕時計に精通する者は、シーンに合わせて異なる腕時計を身につける。
【０００３】
しかしながら、各時計ブランド毎にデザインには独自性があり、雰囲気を変える場合、別のブランドやモデルの腕時計を身に付ける必要がある。このため、使用者は高い費用を支払って異なるブランドやモデルの時計を購入せねばならない。また、腕時計が壊れたり、修理が必要な場合、裏蓋を外して修理を行う必要があるが、裏蓋の取り外し方にもブランド毎に設計に差異があるため様々なハンドツールを使用せねばならなかった。さらには、バンドが修理者の視線を邪魔し、修理点検する箇所を直接目視できない場合がある。
【０００４】
また、使用者がタイムゾーンの異なる地域をよく訪れる場合、時計面を頻繁に現地時間に調整せねばならず、その作業自体は簡単であっても面倒に感じることがある。
そこで、本考案者は上記の欠点が改善可能と考え、鋭意検討を重ねた結果、合理的設計で上記の課題を効果的に改善する本考案の二つの時計面を有する時計構造の提案に到った。
【考案の概要】
【考案が解決しようとする課題】
【０００５】
かかる従来の実情に鑑みて、本考案の目的は、二つの時計面を有する時計構造を提供することにある。
【課題を解決するための手段】
【０００６】
上述した課題を解決し、目的を達成するために、本考案に係る二つの時計面を有する時計構造の特徴は、内部に当接用リング部が凸設されるケースと、前記当接用リング部の上面に設置される第一時計面と、前記当接用リング部の底面に設置される第二時計面と、調整用ネジ、接合部、Ｈ型係合部材及び当接用ネジで構成される調整用係合キットと、内側に抑制部及び溝部が周設される係合用リングとを備える。透明な時計カバーは前記溝部に係合され、２つの前記係合用リングは前記ケースの上面及び底面にそれぞれ係合され、前記係合用リングは複数の前記係合用バンプにより前記当接用リング部に設置され、前記抑制部は前記第一時計面及び前記第二時計面に抑圧され、前記調整用係合キットにより２つの前記係合用リングが前記ケースに固定されるように係合される効果が達成される。
【考案の効果】
【０００７】
上述の構造により、使用者は反転させることでシーンに合わせた時計面のデザインを選択可能になり、或いは２つの時計面に異なる機能が表示され、実際の使用状況に合わせて選択可能となる。１つの腕時計で２つ分の役割を果たすため１つ分の費用が浮き、且つ常に新しい物を求める現代人の要求にも応えられる。
【０００８】
なお、使用者がタイムゾーンの異なる地域によく訪れる場合でも時計面の時間を頻繁に調整させる必要がなくなる。最初に時計面の時間を設定しておけばタイムゾーンの異なる地域に訪れた際に腕時計を反転させるのみでよくなり、素早く簡単に作業を終えられ、実用的に設計されている。
【図面の簡単な説明】
【０００９】
【図１】本考案の調整用係合キットの例を示す展開図である。
【図２】本考案の調整用係合キットの例を示す組立の傾斜図である。
【図３】本考案の調整用ネジ及び当接用ネジを示す組立の断面図である。
【図４】本考案のケースを示す外観斜視図である。
【図５】本考案のケースを示す上面図である。
【図６】本考案のケースを他の角度から見た傾斜図である。
【図７】本考案のケースを他の角度から見た傾斜図である。
【図８】本考案のケースを示す断面図である。
【図９】本考案の係合リングを示す外観斜視図である。
【図１０】本考案の係合リングを他の角度から見た傾斜図である。
【図１１】本考案の係合リングを示す断面図である。
【図１２】本考案の好ましい実施形態のケース及び係合リングを示す組立の断面図（一）である。
【図１３】本考案の好ましい実施形態のケース及び係合リングを示す組立の断面図（二）である。
【図１４】本考案の好ましい実施形態のケース及び係合リングを示す組立の断面図（三）である。
【図１５】本考案の好ましい実施形態のケース及び係合リングを示す組立の断面図（四）である。
【図１６】本考案の好ましい実施形態のケース及び係合リングを示す分解図である。
【図１７】本考案の第一位置決めリングを示す傾斜図である。
【図１８】本考案の第一位置決めリングを示す傾斜図である。
【図１９】本考案の好ましい実施形態の第一位置決めリング及び第二位置決めリングを示す組立の傾斜図である。
【図２０】本考案のゼンマイ調整キットを示す展開図である。
【図２１】本考案のゼンマイ調整キットを示す組立の傾斜図である。
【図２２】本考案の好ましい実施形態を示す傾斜図（一）である。
【図２３】本考案の好ましい実施形態を示す傾斜図（二）である。
【図２４】本考案の好ましい実施形態を示す傾斜図（三）である。
【図２５】本考案の好ましい実施形態を示す傾斜図（四）である。
【図２６】本考案の好ましい実施形態を示す傾斜図（五）である。
【図２７】本考案の好ましい実施形態を示す傾斜図（六）である。
【図２８】本考案の好ましい実施形態を示す傾斜図（七）である。
【図２９】本考案の好ましい実施形態を示す傾斜図（八）である。
【図３０】本考案の好ましい実施形態を示す傾斜図（九）である。
【図３１】本考案の好ましい実施形態を示す傾斜図（十）である。
【考案を実施するための形態】
【００１０】
以下、図１乃至１６を参照しながら、本考案をさらに詳しく説明する。まず、本実施例の二つの時計面を有する時計構造は、内部に当接用リング部（１１）が凸設され、前記当接用リング部（１１）の中央箇所は中空部（１２）となり、前記当接用リング部（１１）には収容用凹部（１３）が設けられ、前記収容用凹部（１３）には凸部（１４）が設けられるケース（１）であって、前記凸部（１４）の両側には２つの溝部（１５）及び前記ケース（１）及び前記凸部（１４）を貫通させる貫通孔（１６）が形成され、前記ケース（１）の上面及び底面には等間隔で配列される複数のバンプ（１７）が凸設され、その内の１つの前記バンプ（１７）は前記収容用凹部（１３）の上方に位置され、複数の前記バンプ（１７）と前記当接用リング部（１１）との間には収容空間（１８）を有することと、前記当接用リング部の上面に設置され、ムーブメントキットが前記中空部（１２）に位置される第一時計面（２１）と、前記当接用リング部（１１）の底面に設置され、ムーブメントキットが前記中空部（１２）に位置される第二時計面（２２）と、調整用ネジ（３１）、接合部（３２）、Ｈ型係合部材（３３）及び当接用ネジ（３４）で構成され、前記接合部（３２）には係合部（３２１）及びスレッド付貫通孔（３２２）が凸設され、前記接合部（３２）は前記係合部（３２１）により前記ケース（１）の外側から前記貫通孔（１６）に連結され、前記調整用ネジ（３１）には雄ねじ部（３１１）及び中空スレッド部（３１２）が設けられ、前記調整用ネジ（３１）は前記ケース（１）の外側から前記接合部（３２）に螺接され、前記調整用ネジ（３１）の前記雄ねじ部（３１１）は前記接合部（３２）から突出し、前記Ｈ型係合部材（３３）にはスレッド付貫通孔（３３１）が設けられると共に両側にリブ（３３２）が設けられ、２つの前記リブ（３３２）の中間部には凹部（３３３）が形成され、前記Ｈ型係合部材（３３）は前記調整用ネジ（３１）の前記雄ねじ部（３１１）に螺合され、前記当接用ネジ（３４）は前記調整用ネジ（３１）の前記中空スレッド部（３１２）に螺合され、前記調整用ネジ（３１）が順方向に回転することにより前記Ｈ型係合部材（３３）が前記ケース（１）の前記凸部（１４）に向けて接近させ、これにより２つの前記リブ（３３２）が２つの前記溝部（１５）に貼り合わせられ、前記調整用ネジ（３１）が逆方向に回転することにより２つの前記リブ（３３２）が２つの前記溝部（１５）から離間し、前記Ｈ型係合部材（３３）が前記当接用ネジ（３４）に当接されると移動が停止される調整用係合キット（３）と、フランジ（４１）が下向きに設置され、前記フランジ（４１）には等間隔で配列される複数の係合用バンプ（４２）が設けられ、前記フランジ（４１）の内の何れか１つの前記係合用バンプ（４２）の両側にはノッチ（４３）が設けられる係合用リング（４）であって、前記係合用リング（４）の内側には抑制部（４４）及び溝部（４５）が周設され、透明な時計カバー（５）が前記溝部（４５）に係合され、２つの前記係合用リング（４）は前記ケース（１）の上面及び底面にそれぞれ係合され、前記係合用リング（４）は複数の前記係合用バンプ（４２）により前記当接用リング部（１１）に設置され、前記抑制部（４４）は前記第一時計面（２１）及び前記第二時計面（２２）に抑圧され、２つの前記係合用リング（４）の前記係合用バンプ（４２）及び両側の前記ノッチ（４６）が前記凸部（１４）及び両側の前記溝部（１５）まで滑動させ、前記調整用ネジ（３１）が順方向に回転することにより前記Ｈ型係合部材（３３）が前記凸部（１４）に向けて接近させ、２つの前記リブ（３３２）が２つの前記係合用リング（４）の２つの前記ノッチ（４３）を通過させると共に２つの前記溝部（１５）に貼り合わせられ、前記係合用バンプ（４２）は前記凸部（１４）の上方と前記バンプ（１７）との間の前記収容空間（１８）内に位置され、且つ同時に前記Ｈ型係合部材（３３）の前記凹部（３３３）内に係合され、他の複数の前記係合用バンプ（４２）は全て複数の前記バンプ（１７）の下に位置され、２つの前記リブ（３３２）の高さにより前記係合用バンプ（４２）が前記凹部（３３）内で左右に移動しなくなり、前記係合用バンプ（４２）が左右移動できる空間が制限され、２つの前記係合用リング（４）が前記ケース（１）に固定されるように係合される効果が達成されることとを備える。
【００１１】
前記係合用リング（４）を取り外す場合、まず前記調整用係合キット（３）の前記調整用ネジ（３１）を逆方向に回転させて前記Ｈ型係合部材（３３）を前記ケース（１）の中心に向けて移動させ、前記係合用バンプ（４２）を２つの前記リブ（３３２）の制限から解放させる。これにより、前記係合用リング（４）が横方向に回転可能になり、複数の前記係合用バンプ（４２）が前記収容空間（１８）から離開し、前記バンプ（１７）の制限を受けなくなり、前記係合用リング（４）が前記ケース（１）から取り外される。また、前記当接用リング部（１１）の上面及び底面には溝部（１１１）が設けられ、２つの前記溝部（１１１）には防水ガスケット（Ｅ）が設置される。
【００１２】
図２０乃至図３０に示されるように、前記当接用リング部（１１）の上面及び底面には第一通路部（１１２）及び第二通路部（１１４）が更に設置され、第一通路部（１１２）及び第二通路部（１１４）には前記ケースを貫通させる貫通孔（１１３）（１１５）がそれぞれ設けられ、２つの前記貫通孔（１１３）（１１５）には１組のゼンマイ調整キット（６）がそれぞれ装設され、前記ゼンマイ調整キット（６）はゼンマイネジ（６１）、中空状接合部（６２）及びスリーブ（６３）で構成される。前記中空状接合部（６２）には係合部（６２１）が設けられ、前記係合部（６２１）により前記ケース（１）の外側から前記第一通路部（１１２）の前記貫通孔（１１３）に固定される。前記ゼンマイネジ（６１）にはスレッド部（６１１）が設けられ、前記スリーブ（６３）にはスレッド付貫通孔（６３１）が設けられ、前記ゼンマイネジ（６１）は前記ケース（１）の外側から前記中空状接合部（６２）に貫設されると共に前記スリーブ（６３）に螺合される。前記スリーブ（６３）の他端は前記第一時計面（２１）のムーブメントに螺合され、各前記ゼンマイ調整キット（６）による前記第一時計面及び前記第二時計面の時間の調整効果が達成される。２つの前記係合用リング（４）は前記第一通路部（１１２）及び前記第二通路部（１１４）に対応させる位置に凹部（４６）が設けられる。
【００１３】
また、前記スリーブ（６３）及び前記ゼンマイネジ（６１）の連結される端部にはプラットフォーム（６３２）が設置される。前記第一時計面（２１）が取り外す場合、前記係合用リング（４）を取り外した後に前記第一時計面（２１）と前記ケース（１）との間に隙間が残る。先ず、前記ゼンマイネジ（６１）を外に向けて引き、前記隙間から前記スリーブ（６３）及び前記プラットフォーム（６３２）を見ながらハンドツールを利用して前記プラットフォーム（６３２）を押さえ、前記ゼンマイネジ（６１）を回転させて前記ゼンマイネジ（６１）を取り外す。前記スリーブ（６３）は依然として前記第一時計面（２１）のムーブメントに連結されており、この際、前記第一時計面（２１）及び前記ケース（１）にはいかなる連結部材もないため、前記第一時計面（２１）を上に向けて取り外すことができる。
【００１４】
続いて、図１７乃至図１９、図３０及び図３１に示されるように、前記当接用リング部（１１）の前記中空部（１２）には第一位置決めリング（７）及び第二位置決めリング（８）が装設される。また、前記当接用リング部（１１）には複数の柱状体溝部（１９）が設けられ、前記第一位置決めリング（７）及び前記第二位置決めリング（８）には複数の前記柱状体溝部（１９）に対応する箇所に凹溝（７１）（８１）が設けられ、複数の前記柱状体溝部（１９）及び複数の前記凹溝（７１）（８１）が結合されて複数の収容孔が形成される。複数の前記収容孔が防振用柱（Ｃ）にそれぞれ挿入され、本考案の防振、耐震効果が達成される。前記第一位置決めリング（７）には上部ノッチ（７２）及び下部ノッチ（７３）が設けられ、前記第二位置決めリング（８）には上部ノッチ（８２）及び下部ノッチ（８３）が設けられ、前記第一位置決めリング（７）の前記下部ノッチ（７３）及び前記第二位置決めリング（８）の上部ノッチ（８２）により窓型ノッチが形成される。前記第一位置決めリング（７）の上部ノッチ（７２）により前記スリーブ（６３）及び前記第一時計面（２１）のムーブメントの移動空間が残され、前記第二位置決めリング（８）の下部ノッチ（８３）により前記スリーブ（４）及び前記第二時計面（２２）のムーブメントの移動空間が残され、前記窓型ノッチにより前記調整用係合キット（３）の移動空間が提供される。
【００１５】
全体的に、本考案は前記調整用係合キット（３）により前記係合用リング（４）の前記ケース（１）上での移動が制限され、従来の腕時計の取り外し過程及び構造で使用されるハンドツールが簡潔になり、製品自体を損傷させる危険性がなくなる。また、前記スリーブ（６３）の連結関係により、二段式ゼンマイ構造が形成され、前記第一時計面（２１）及び前記第二時計面（２２）を容易に取り外してメンテナンス可能になる。２つの時計面の設計により、使用者がより弾力的に使用可能になり、シーンに合わせて時計面のデザインを変えられ、或いはよく訪れるタイムゾーンの異なる地域の時間に合わせられ、どちらも従来の１つの時計面の腕時計よりも簡単便利に作業を終えられる。より素早く便利に使用できる効果が達成される実用的で耐用性の高い考案である。また、前記調整用係合キット（３）の前記接合部（３２）の外側にはスレッド部（３２３）が設けられ、前記スレッド部（３２３）には装飾カバー（Ｄ）が螺合される。
【００１６】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００１７】
（１）  ケース
（１１）  当接用リング部
（１１１）  溝部
（１１２）  第一通路部
（１１３）  貫通孔
（１１４）  第二通路部
（１１５）  貫通孔
（１２）  中空部
（１３）  収容用凹部
（１４）  凸部
（１５）  溝部
（１６）  貫通孔
（１７）  バンプ
（１８）  収容空間
（１９）  柱状体溝部
（２１）  第一時計面
（２２）  第二時計面
（３）  調整用係合キット
（３１）  調整用ネジ
（３１１）  雄ねじ部
（３１２）  中空スレッド部
（３２）  接合部
（３２１）  係合部
（３２２）  スレッド付貫通孔
（３２３）  スレッド部
（３３）  Ｈ型係合部材
（３３１）  スレッド付貫通孔
（３３２）  リブ
（３３３）  凹部
（３４）  当接用ネジ
（４）  係合用リング
（４１）  フランジ
（４２）  係合用バンプ
（４３）  ノッチ
（４４）  抑制部
（４５）  溝部
（４６）  凹部
（５）  透明な時計カバー
（６）  ゼンマイ調整キット
（６１）  ゼンマイネジ
（６１１）  スレッド部
（６２）  中空状接合部
（６２１）  係合部
（６３）  スリーブ
（６３１）  スレッド付貫通孔
（６３２）  プラットフォーム
（７）  第一位置決めリング
（７１）  凹溝
（７２）  上部ノッチ
（７３）  下部ノッチ
（８）  第二位置決めリング
（８１）  凹溝
（８２）  上部ノッチ
（８３）  下部ノッチ
（Ｃ）  防振用柱
（Ｄ）  装飾カバー
（Ｅ）  防水ガスケット
【図１】
0003216223.tif 000003
【図２】
0003216223.tif 000004
【図３】
0003216223.tif 000005
【図４】
0003216223.tif 000006
【図５】
0003216223.tif 000007
【図６】
0003216223.tif 000008
【図７】
0003216223.tif 000009
【図８】
0003216223.tif 000010
【図９】
0003216223.tif 000011
【図１０】
0003216223.tif 000012
【図１１】
0003216223.tif 000013
【図１２】
0003216223.tif 000014
【図１３】
0003216223.tif 000015
【図１４】
0003216223.tif 000016
【図１５】
0003216223.tif 000017
【図１６】
0003216223.tif 000018
【図１７】
0003216223.tif 000019
【図１８】
0003216223.tif 000020
【図１９】
0003216223.tif 000021
【図２０】
0003216223.tif 000022
【図２１】
0003216223.tif 000023
【図２２】
0003216223.tif 000024
【図２３】
0003216223.tif 000025
【図２４】
0003216223.tif 000026
【図２５】
0003216223.tif 000027
【図２６】
0003216223.tif 000028
【図２７】
0003216223.tif 000029
【図２８】
0003216223.tif 000030
【図２９】
0003216223.tif 000031
【図３０】
0003216223.tif 000032
【図３１】
0003216223.tif 000033
【手続補正書】
【提出日】平成30年3月13日(2018.3.13)
【手続補正１】
【補正対象書類名】実用新案登録請求の範囲
【補正対象項目名】請求項２
【補正方法】変更
【補正の内容】
【請求項２】
前記当接用リング部の上面及び底面には第一通路部及び第二通路部が更に設けられ、第一通路部及び第二通路部には前記ケースを貫通させる貫通孔がそれぞれ設けられ、２つの前記貫通孔には１組のゼンマイ調整キットがそれぞれ設置され、前記ゼンマイ調整キットはゼンマイネジ、中空状接合部及びスリーブで構成され、前記中空状接合部には係合部が設けられ、前記係合部により前記ケースの外測から前記第一通路部の前記貫通孔に固定され、前記ゼンマイネジにはスレッド部が設けられ、前記スリーブにはスレッド付貫通孔が設けられ、前記ゼンマイネジは前記ケースの外測から前記中空状接合部に貫設され、且つ前記スリーブに螺合され、前記スリーブの他端は前記第一時計面のムーブメントに螺合され、各前記ゼンマイ調整キットによる前記第一時計面と前記第二時計面の時間の調整効果が達成され、また、２つの前記係合用リングは前記第一通路部及び前記第二通路部に対応させる位置に凹部が設けられることを特徴とする請求項１に記載の二つの時計面を有する時計構造。
【手続補正２】
【補正対象書類名】実用新案登録請求の範囲
【補正対象項目名】請求項４
【補正方法】変更
【補正の内容】
【請求項４】
当接用リング部の中空部には第一位置決めリング及び第二位置決めリングが装設され、前記当接用リング部には複数の柱状体溝部が設けられ、前記第一位置決めリング及び前記第二位置決めリングは複数の前記柱状体溝部に対応させる箇所に凹溝が設けられ、複数の前記柱状体溝部及び複数の前記凹溝が結合されることにより複数の収容孔が形成され、複数の前記収容孔は防振用柱にそれぞれ挿入されることを特徴とする請求項３に記載の二つの時計面を有する時計構造。